(57)【要約】【課題】パッキンの組付け作業性を向上させることができると共に、パッキンの位置出しが可能となって防水性能を安定させることができる防水コネクタを提供する。【解決手段】相手側コネクタ８を嵌合すると共に端子２０を収容する筒部１３を有したコネクタハウジング１１と、このコネクタハウジング１１と相手側コネクタ８との間をシールする環状のパッキン３０と、コネクタハウジング１１の筒部１３内に組付けられて環状のパッキン３０の抜け止めと端子の位置決めをするフロントホルダ４０とを備えた防水コネクタ１０において、環状の環状のパッキン３０の内部にフロントホルダ４０を嵌め込んで一体化した。【選択図】図３
2017033857.tif 000002
【特許請求の範囲】
【請求項１】
相手側コネクタを嵌合すると共に端子を収容する筒部を有したコネクタハウジングと、このコネクタハウジングと前記相手側コネクタとの間をシールする環状のパッキンと、前記コネクタハウジングの筒部内に組付けられて前記環状のパッキンの抜け止めと前記端子の位置決めをするフロントホルダとを備えた防水コネクタにおいて、
前記環状のパッキンの内部に前記フロントホルダを嵌め込んで一体化したことを特徴とする防水コネクタ。
【請求項２】
請求項１記載の防水コネクタであって、
前記環状のパッキン及び前記フロントホルダに係止部をそれぞれ設け、これら各係止部に対応する前記コネクタハウジングに該各係止部を係脱させる係合部をそれぞれ設け、これら環状のパッキンの係止部とフロントホルダの係止部とで、前記一体化された環状パッキンとフロントホルダを前記コネクタハウジングに二重係止自在にしたことを特徴とする防水コネクタ。
【請求項３】
相手側コネクタを嵌合すると共に端子を収容する筒部を有したコネクタハウジングと、このコネクタハウジングと前記相手側コネクタとの間をシールする環状のパッキンと、前記コネクタハウジングの筒部内に組付けられて前記環状のパッキンの抜け止めと前記端子の位置決めをするフロントホルダとを備えた防水コネクタ用のパッキン組付け治具において、
前記環状のパッキンの内部に着脱自在に嵌め込まれる治具本体と、この治具本体に突設した摘み部とを備え、
前記治具本体に、前記環状のパッキンに設けられて前記コネクタハウジングの係合部に係脱する係止部を押圧する押し部を設けたことを特徴とする防水コネクタ用のパッキン組付け治具。
【請求項４】
請求項３記載の防水コネクタ用のパッキン組付け治具であって、
前記治具本体に、前記環状のパッキンの内周面に設けられたリップ部に嵌まる溝部を設けたことを特徴とする防水コネクタ用のパッキン組付け治具。
【発明の詳細な説明】
【技術分野】
【０００１】
本発明は、防水コネクタ及び防水コネクタ用のパッキン組付け治具に関する。
【背景技術】
【０００２】
この種の防水コネクタとして、図１４に示すものがある（例えば、特許文献１参照。）。
【０００３】
この防水コネクタ１は、図１４に示すように、相手側コネクタ５の雄型のコネクタハウジング６を嵌合すると共に雄型の端子３を収容する筒部２ａを有した雌型のコネクタハウジング２と、これら雌型のコネクタハウジング２と雄型のコネクタハウジング６との間をシールする環状のパッキン４とを備えている。
【０００４】
そして、雄型のコネクタハウジング６が矢印Ｋ方向から雌型のコネクタハウジング２の筒部２ａの開口部２ｂ内に挿入されて嵌合されると、雌型のコネクタハウジング２の雄型の端子３と雄型のコネクタハウジング６の雌型の端子７が接触して接続され、また、両コネクタハウジング２，５間は環状のパッキン４により止水される。
【先行技術文献】
【特許文献】
【０００５】
【特許文献１】特開２００７−７３４５７号公報
【特許文献２】特開２０１２−４３６４９号公報
【特許文献３】特開２００４−４７２７６号公報
【発明の概要】
【発明が解決しようとする課題】
【０００６】
しかしながら、前記従来の防水コネクタ１では、環状のパッキン４を雌型のコネクタハウジング２の筒部２ａに組付ける際に、筒部２ａの開口部２ｂの間口が狭く、また、環状のパッキン４が撓むため、筒部２ａの内側壁２ｃに位置決めして組付けるのに熟練を要した。
【０００７】
また、環状のパッキン４を雌型のコネクタハウジング２の筒部２ａに組付ける際に、環状のパッキン４が内側に撓み易いため、環状のパッキン４の位置出しができず、さらに、両コネクタハウジング２，５の嵌合時に環状のパッキン４を噛み込んでしまう虞があるため、防水性能が安定しない可能性があった。
【０００８】
そこで、本発明は、前記した課題を解決すべくなされたものであり、パッキンの組付け作業性を向上させることができると共に、パッキンの位置出しが可能となって防水性能を安定させることができる防水コネクタ及び防水コネクタ用のパッキン組付け治具を提供することを目的とする。
【課題を解決するための手段】
【０００９】
請求項１の発明は、相手側コネクタを嵌合すると共に端子を収容する筒部を有したコネクタハウジングと、このコネクタハウジングと前記相手側コネクタとの間をシールする環状のパッキンと、前記コネクタハウジングの筒部内に組付けられて前記環状のパッキンの抜け止めと前記端子の位置決めをするフロントホルダとを備えた防水コネクタにおいて、前記環状のパッキンの内部に前記フロントホルダを嵌め込んで一体化したことを特徴とする。
【００１０】
請求項２の発明は、請求項１記載の防水コネクタであって、前記環状のパッキン及び前記フロントホルダに係止部をそれぞれ設け、これら各係止部に対応する前記コネクタハウジングに該各係止部を係脱させる係合部をそれぞれ設け、これら環状のパッキンの係止部とフロントホルダの係止部とで、前記一体化された環状のパッキンとフロントホルダを前記コネクタハウジングに二重係止自在にしたことを特徴とする。
【００１１】
請求項３の発明は、相手側コネクタを嵌合すると共に端子を収容する筒部を有したコネクタハウジングと、このコネクタハウジングと前記相手側コネクタとの間をシールする環状のパッキンと、前記コネクタハウジングの筒部内に組付けられて前記環状のパッキンの抜け止めと前記端子の位置決めをするフロントホルダとを備えた防水コネクタ用のパッキン組付け治具において、前記環状のパッキンの内部に着脱自在に嵌め込まれる治具本体と、この治具本体に突設した摘み部とを備え、前記治具本体に、前記環状のパッキンに設けられて前記コネクタハウジングの係合部に係脱する係止部を押圧する押し部を設けたことを特徴とする。
【００１２】
請求項４の発明は、請求項３記載の防水コネクタ用のパッキン組付け治具であって、前記治具本体に、前記環状のパッキンの内周面に設けられたリップ部に嵌まる溝部を設けたことを特徴とする。
【発明の効果】
【００１３】
以上説明したように、請求項１の発明によれば、環状のパッキンの内部にフロントホルダを嵌め込んで一体化したことにより、環状のパッキンをコネクタハウジングの筒部に組付ける際に、環状のパッキンが撓むことがなくなるため、筒部内に環状のパッキンを簡単かつ確実に組付けることができ、その組付け作業性を向上させることができる。
【００１４】
請求項２の発明によれば、環状のパッキン及びフロントホルダに係止部をそれぞれ設け、これら各係止部に対応するコネクタハウジングに該各係止部を係脱させる係合部をそれぞれ設け、これら環状のパッキンの係止部とフロントホルダの係止部とで、一体化された環状のパッキンとフロントホルダをコネクタハウジングに二重係止自在にしたことにより、環状のパッキンをコネクタハウジングの筒部に組付ける際に、環状のパッキンを内側に撓ませることなく、環状のパッキンが位置出しされた状態で筒部の内側壁に簡単かつ確実に組付けることができ、防水性能の安定をより一段と図ることができる。
【００１５】
請求項３の発明によれば、パッキン組付け治具が、環状のパッキンの内部に着脱自在に嵌め込まれる治具本体と、この治具本体に突設した摘み部とを備え、治具本体に、環状のパッキンに設けられてコネクタハウジングの係合部に係脱する係止部を押圧する押し部を設けたことにより、環状のパッキンをコネクタハウジングの筒部に組付ける際に、パッキン組付け治具の摘み部を押し込むだけの簡単な操作で、環状のパッキンの係止部をコネクタハウジングの係合部に押し付けて係止させることができ、筒部内に環状のパッキンを簡単かつ確実に組付けることができる。
【００１６】
請求項４の発明によれば、治具本体に、環状のパッキンの内周面に設けられたリップ部に嵌まる溝部を設けたことにより、環状のパッキンをコネクタハウジングの筒部に組付ける際に、環状のパッキンの内倒れ（内側への撓み）を簡単かつ確実に防ぐことができ、また、パッキン組付け治具の治具本体から環状のパッキンが外れてしまうことを回避することができて組付け作業性を向上させることができる。
【図面の簡単な説明】
【００１７】
【図１】本発明の第１実施形態のパッキン組付け前の防水コネクタを示す斜視図である。
【図２】上記防水コネクタの正面図である。
【図３】図２中Ａ−Ａ線に沿う断面図である。
【図４】図３のＢ部分の拡大断面図である。
【図５】図２中Ｃ−Ｃ線に沿う断面図である。
【図６】上記防水コネクタに用いられるパッキンの斜視図である。
【図７】上記防水コネクタに用いられるフロントホルダの斜視図である。
【図８】上記パッキンの内部に上記フロントホルダを嵌め込んで一体化した状態を示す斜視図である。
【図９】図８中Ｅ−Ｅ線に沿う断面図である。
【図１０】本発明の第２実施形態のパッキン組付け前の防水コネクタを示す斜視図である。
【図１１】上記第２実施形態の防水コネクタに用いられるパッキン組付け治具の斜視図である。
【図１２】上記パッキン組付け治具をパッキンの内部に嵌め込んだ状態を示す断面図である。
【図１３】上記パッキン組付け治具によりパッキンをコネクタハウジングに組付けた状態を示す断面図である。
【図１４】従来の防水コネクタのパッキン組付け状態を示す断面図である。
【発明を実施するための形態】
【００１８】
以下、本発明の実施形態を図面に基づいて説明する。
【００１９】
図１は本発明の第１実施形態のパッキン組付け前の防水コネクタを示す斜視図、図２は同防水コネクタの正面図、図３は図２中Ａ−Ａ線に沿う断面図、図４は図３のＢ部分の拡大断面図、図５は図２中Ｃ−Ｃ線に沿う断面図、図６は同防水コネクタに用いられるパッキンの斜視図、図７は同防水コネクタに用いられるフロントホルダの斜視図、図８は同パッキンの内部にフロントホルダを嵌め込んで一体化した状態を示す斜視図、図９は図８中Ｅ−Ｅ線に沿う断面図である。
【００２０】
図１〜図５に示すように、防水コネクタ１０は、相手側コネクタ８の図示しない複数の雌型の端子を有した雄型のコネクタハウジング９を嵌合すると共に、複数の雄型の端子２０を収容する筒部１３を有した雌型のコネクタハウジング１１と、このコネクタハウジング１１と相手側コネクタ８のコネクタハウジング９との間をシール（止水）する環状のパッキン３０と、コネクタハウジング１１の筒部１３内に組付けられてパッキン３０の抜け止めと端子２０の位置決めをするフロントホルダ４０とを備えている。
【００２１】
コネクタハウジング１１は、合成樹脂により形成してあり、端子２０を収容する端子収容室１２ａを上下段に複数等間隔で形成したハウジング本体１２と、このハウジング本体１２より連なって複数の端子２０の先端部（タブ部）２０ａ及び相手側コネクタ８のコネクタハウジング９の先端部９ａを収容する楕円筒状の筒部１３と、この筒部１３より連なって、上側に４つ、下側に２つの逆凹状の凸部１５をそれぞれ一体突出形成させた楕円筒状のフード部（筒部）１４とを備えている。
【００２２】
図３に示すように、ハウジング本体１２の複数の端子収容室１２ａには、電線２１を圧着接続した端子２０がハウジング本体１２の後端凹部１２ｂから挿入されて各端子収容室１２ａ内に突出する可撓性の係止ランス１６を介して抜け止めされるようになっている。さらに、電線２１は、ハウジング本体１２の後端凹部１２ｂに嵌め込まれる防水栓１７及びリヤホルダ１８により保持されるようになっている。
【００２３】
また、図２及び図５に示すように、ハウジング本体１２の左右両側には、前面から後面にかけて後述するフロントホルダ４０の長短各一対の係止突起（係止部）４３，４４が係止される断面略台形の係合孔（係合部）１２ｃ，１２ｄを形成してある。
【００２４】
図１に示すように、筒部１３とフード部１４の上側中央には、筒部１３とフード部１４内に嵌合された相手側コネクタ８を係止する可撓性のロックアーム１９を一体突出形成してある。さらに、図２〜図４に示すように、フード部１４の上下にある逆凹状で左右各一対の凸部１５，１５の筒部１３とフード部１４の境界部分に起立した各壁部１５ａには、後述する環状のパッキン３０の上下各一対の係止突起（係止部）３３，３３が係止される各一対の断面円形の係合孔（係合部）１５ｃ，１５ｃをそれぞれ形成してある。
【００２５】
図６に示すように、パッキン３０は、ゴム等により楕円環状に形成してあり、その外周面３０ａ及び内周面３０ｂに複数のリップ部（突条）３１を周方向に連続したリング状に一体形成してある。また、楕円環状のパッキン３０の前面３０ｃの上下のフード部１４の各壁部１５ａの係合孔１５ｃに対応する位置には、左右各一対の係止体３２，３２を矩形板状にそれぞれ一体突出形成してある。この各係止体３２の後面の上側には、フード部１４の各壁部１５ａの係合孔１５ｃに係脱する係止突起（係止部）３３をそれぞれ一体突出形成してある。図３及び図４に示すように、パッキン３０の各係止突起３３がフード部１４の各壁部１５ａの係合孔１５ｃに挿入されて係止されると、その先端の円錐体部３３ａは、係合孔１５ｃより外側に露出した状態で係止されて、外部より係止状態が確認できるようになっている。即ち、係合孔１５ｃは確認窓として機能している。
【００２６】
図７に示すように、フロントホルダ４０は、合成樹脂により楕円板状に形成してあり、その上下側には、端子２０の先端部２０ａが挿入されて該端子２０の位置決めをする端子挿通孔４１を上下段に複数等間隔で形成してある。また、楕円板状のフロントホルダ４０の後面４０ａの上下端縁には、ハウジング本体１２の各端子収容室１２ａに挿入されて係合する係合片部４２を複数等間隔で一体突出形成してある。さらに、楕円板状のフロントホルダ４０の後面４０ａの両端側のハウジング本体１２の各係合孔１２ｃ，１２ｄに対応する位置は、各係合孔１２ｃ，１２ｄに係脱させる長短各一対の係止突起（係止部）４３，４４をそれぞれ一体突出形成してある。
【００２７】
そして、図８及び図９に示すように、楕円環状のパッキン３０の内部に、楕円板状のフロントホルダ４０が嵌め込まれて一体化されることで、サブアッシーＦが作製される。この一体化された楕円環状のパッキン３０と楕円板状のフロントホルダ４０が、図１に矢印で示す方向からコネクタハウジング１１のフード部１４を経て筒部１３に挿入され、楕円環状のパッキン３０の各係止突起３３がフード部１４の各壁部１５ａの係合孔１５ｃに係止され、かつ、楕円板状のフロントホルダ４０の長短各一対の係止突起４３，４４がハウジング本体１２の各係合孔１２ｃ，１２ｄに係止されることで、一体化されたパッキン３０とフロントホルダ４０とがコネクタハウジング１１に二重係止されて組付けられるようになっている。
【００２８】
以上実施形態の防水コネクタ１０によれば、図８に示すように、楕円環状のパッキン３０の内部に楕円板状のフロントホルダ４０を嵌め込んで一体化した状態で、図１で矢印で示すように、コネクタハウジング１１のフード部１４から筒部１３内に挿入すると、パッキン３０の各係止突起３３がフード部１４の各壁部１５ａの係合孔１５ｃに挿入されて係止されると共に、フロントホルダ４０の長短各一対の係止突起４３，４４がハウジング本体１２の各係合孔１２ｃ，１２ｄに挿入されて係止される。これらにより、一体化されたパッキン３０とフロントホルダ４０がコネクタハウジング１１に二重に係止されて組付けられる。
【００２９】
このように、楕円環状のパッキン３０の内部に楕円板状のフロントホルダ４０を嵌め込んで一体化したことにより、パッキン３０をコネクタハウジング１１の筒部１３に組付ける際に、パッキン３０が撓むことが無くなり、筒部１３内にパッキン３０を簡単かつ確実に組付けることができ、その組付け作業性を向上させることができる。
【００３０】
特に、楕円環状のパッキン３０及び楕円板状のフロントホルダ４０に係止突起３３，４３，４４をそれぞれ設け、これら各係止突起３３，４３，４４に対応するコネクタハウジング１１のフード部１４の各壁部１５ａ及びハウジング本体１２に各係止突起３３，４３，４４を係脱させる係合孔１５ｃ，１２ｃ，１２ｄをそれぞれ設け、これらパッキン３０の係止突起３３とフロントホルダ４０の係止突起４３，４４とで、一体化されたパッキン３０とフロントホルダ４０をコネクタハウジング１１に二重係止自在にしたことにより、パッキン３０をコネクタハウジング１１の筒部１３に組付ける際に、パッキン３０が内側に撓むことが無くなり、パッキン３０が位置出しされた状態で筒部１３の内側壁１３ａに簡単かつ確実に組付けて固定することができ、防水性能の安定をより一段と図ることができる。
【００３１】
また、コネクタハウジング１１の外観からパッキン３０の係止の確認を行うことができる。即ち、図３及び図４に示すように、パッキン３０の各係止突起３３がコネクタハウジング１１のフード部１４の各壁部１５ａの係合孔１５ｃに挿入されて係止されると、その先端の円錐体部３３ａが係合孔１５ｃより外側に露出した状態で係止されるため、コネクタハウジング１１の外部よりパッキン３０の係止の状態を簡単に確認することができる。
【００３２】
図１０は本発明の第２実施形態のパッキン組付け前の防水コネクタを示す斜視図、図１１は同防水コネクタに用いられるパッキン組付け治具の斜視図、図１２は同パッキン組付け治具をパッキンの内部に嵌め込んだ状態を示す断面図、図１３は同パッキン組付け治具によりパッキンをコネクタハウジングに組付けた状態を示す断面図である。
【００３３】
図１０及び図１３に示すように、防水コネクタ１０及び楕円環状のパッキン３０は、前記第１実施形態と同一の構成であり、パッキン装着用の押込み治具としてのパッキン組付け治具５０により、パッキン３０を雌型のコネクタハウジング１１の筒部１３内に組付けるようにした点と、このパッキン組付け治具５０によるパッキン３０をコネクタハウジング１１の筒部１３に組付ける際には、図１３に示すように、コネクタハウジング１１内に電線を圧着接続した雄型の端子等が組付けられておらず、パッキン３０を組付けた後で、端子及びパッキン３０の抜け止めと端子２０の位置決めをする図示しないフロントホルダ等を組付けるようにした点が、前記第１実施形態と異なる。
【００３４】
図１１〜図１３に示すように、パッキン組付け治具５０は、楕円環状のパッキン３０の内部に着脱自在に嵌め込まれる治具本体５１と、この治具本体５１に突設した摘み部５２とを備えていて、合成樹脂或いは金属により平面略Ｔ字形状に形成されている。
【００３５】
治具本体５１は、楕円板状に形成されており、その前面５１ａの中央に矩形板状の摘み部５２が一体突出形成されている。
【００３６】
また、治具本体５１の外周面５１ｂの前縁部の両側及び下縁部の両側には、楕円環状のパッキン３０に設けられてコネクタハウジング１１のフード部１４の各壁部１５ａの係止孔（係合部）１５ｃに係脱する係止突起（係止部）３３を設けた係止体３２を押圧する押し部５３を各一対それぞれ一体突出形成してある。
【００３７】
さらに、治具本体５１の外周面５１ｂには、楕円環状のパッキン３０の内周面３０ｂに設けられた複数のリップ部３１に嵌まる複数の溝部５４を一体形成してある。
【００３８】
以上実施形態の防水コネクタ１０用のパッキン組付け治具５０によれば、図１２に示すように、楕円環状のパッキン３０の内部にパッキン組付け治具５０の治具本体５１を嵌め込んだ状態で使用する。
【００３９】
そして、パッキン組付け治具５０の摘み部５２を摘んだ状態で、図１３に示すように、コネクタハウジング１１のフード部１４から筒部１３内に挿入すると、楕円環状のパッキン３０の各係止突起３３が治具本体５１の各押し部５３により押圧されて、各係止突起３３がフード部１４の各壁部１５ａの係合孔１５ｃに挿入されて係止される。この係止の後で、パッキン組付け治具５０の摘み部５２を持って治具本体５１をパッキン３０の内部から引き抜くことにより、パッキン３０がコネクタハウジング１１に組付けられる。
【００４０】
このように、パッキン組付け治具５０の治具本体５１に、楕円環状のパッキン３０に設けられてコネクタハウジング１１のフード部１４の各壁部１５ａの係合孔１５ｃに係脱する係止突起３３を押圧する押し部５３を設けたことにより、パッキン３０をコネクタハウジング１１の筒部１３に組付ける際に、パッキン組付け治具５０の摘み部５２を押し込むだけの簡単な操作で、パッキン３０の係止突起３３をコネクタハウジング１１のフード部１４の各壁部１５ａの係合孔１５ｃに押し付けて挿入させて係止させることができ、筒部１３内にパッキン３０を簡単かつ確実に組付けることができる。
【００４１】
特に、パッキン組付け治具５０の治具本体５１の外周面５１ｂに、楕円環状のパッキン３０の内周面３０ｂに設けられた複数のリップ部３１に嵌まる複数の溝部５４を設けたことにより、パッキン３０をコネクタハウジング１１の筒部１３に組付ける際に、パッキン３０の内倒れ（内側への撓み）を簡単かつ確実に防ぐことができると共に、パッキン組付け治具５０の治具本体５１からパッキン３０が外れてしまうことを回避することができ、組付け作業性をより一段と向上させることができる。
【００４２】
尚、前記各実施形態によれば、雄型の端子を複数収容する雌型のコネクタハウジングについて説明したが、雌型の端子を複数収容する雌型のコネクタハウジングに前記各実施形態を適用できることは勿論である。
【００４３】
また、前記各実施形態によれば、筒部を楕円筒状に形成したが、筒部は円筒状や四角筒状等他の形状も含むことは勿論である。
【符号の説明】
【００４４】
８  相手側コネクタ
１０  防水コネクタ
１１  コネクタハウジング
１２ｃ，１２ｄ  係合孔（係合部）
１３  筒部
１４  フード部（筒部）
１５ｃ  係合孔（係合部）
２０  端子
３０  楕円環状のパッキン（環状のパッキン）
３０ｂ  内周面
３１  リップ部
３３  係止突起（係止部）
４０  フロントホルダ
４３，４４  係止突起（係止部）
５０  パッキン組付け治具
５１  治具本体
５２  摘み部
５３  押し部
５４  溝部
【図１】
2017033857.tif 000003
【図２】
2017033857.tif 000004
【図３】
2017033857.tif 000005
【図４】
2017033857.tif 000006
【図５】
2017033857.tif 000007
【図６】
2017033857.tif 000008
【図７】
2017033857.tif 000009
【図８】
2017033857.tif 000010
【図９】
2017033857.tif 000011
【図１０】
2017033857.tif 000012
【図１１】
2017033857.tif 000013
【図１２】
2017033857.tif 000014
【図１３】
2017033857.tif 000015
【図１４】
2017033857.tif 000016